(57)【要約】【課題】爆発物の爆発処理に際しての危険性が少なく、かつ前記爆発物の爆発に起因して装置の主要構成部材が大きなダメージを受けることも適切に抑制して経済性にも優れたものとすることが可能な爆発物処理装置を提供する。【解決手段】爆発物処理装置Ａは、爆発物９の周囲を覆うための下部開口の筒状部１０を有する外部遮蔽体１と、筒状部１０内に昇降可能に設けられ、かつ少なくとも爆発物９の上方を覆うことが可能な内部遮蔽体２と、を具備しており、爆発物９が外部遮蔽体１の筒状部１０と内部遮蔽体２とによって覆われた状態において爆発したときには、筒状部１０が前記爆発の地点の周囲を覆った状態を維持しつつ、前記爆発の圧力によって内部遮蔽体２が上昇可能に構成されている。【選択図】  図１
2011185582.tif 000002
【特許請求の範囲】
【請求項１】
爆発物の周囲を覆うための下部開口の筒状部を有する外部遮蔽体と、
前記筒状部内に昇降可能に設けられ、かつ少なくとも前記爆発物の上方を覆うことが可能な内部遮蔽体と、
を具備しており、
前記爆発物が前記外部遮蔽体の前記筒状部と前記内部遮蔽体とによって覆われた状態において爆発したときには、前記筒状部が前記爆発の地点の周囲を覆った状態を維持しつつ、前記爆発の圧力によって前記内部遮蔽体が上昇可能な構成されていることを特徴とする、爆発物処理装置。
【請求項２】
請求項１に記載の爆発物処理装置であって、
前記内部遮蔽体には、前記爆発物が爆発したときに発生する爆風の一部を前記内部遮蔽体の上方に逃がすための通気孔が設けられている、爆発物処理装置。
【請求項３】
請求項１または２に記載の爆発物処理装置であって、
前記爆発物用の起爆手段として、前記爆発物の上方に配置させて保持可能な錘を備えており、
前記錘を前記爆発物上に落下させることにより前記爆発物に衝撃を付与することが可能な構成とされている、爆発物処理装置。
【請求項４】
請求項１ないし３のいずれかに記載の爆発物処理装置であって、
前記外部遮蔽体の前記筒状部の周囲には、有底かつ上面開口状の凹部が形成され、この凹部に重しとなる所望の物質を収容することが可能とされている、爆発物処理装置。
【発明の詳細な説明】
【技術分野】
【０００１】
本発明は、地雷や不発弾などの各種の爆発物を爆発させて処理するのに用いられる爆発物処理装置に関する。
【背景技術】
【０００２】
従来の爆発物処理装置の具体例としては、爆発物を内部に収容可能な耐圧性に優れた略密閉状の容器を有し、かつこの容器内において爆発物を爆発させるようにしたものがある（たとえば、特許文献１を参照）。このような構成によれば、爆発物の爆発に伴って発生する爆風や爆裂破砕片を容器内に閉じ込めて、爆発による悪影響が容器外部に及ぶことを抑制することが可能である。
【０００３】
しかしながら、前記従来技術においては、次に述べるような問題点があった。
【０００４】
第１に、爆発物を前記容器内に収容するには、爆発物を前記容器の上方に持ち上げてから前記容器内に下降させるといった必要がある。ところが、爆発物をそのように取り扱ったのでは、その取り扱い中に爆発物に大きな衝撃を与え、爆発させてしまう虞があり、好ましくない。たとえば、地雷が地中に設置されている場合においては、この地雷を移動させることなく処理できることが望ましいが、前記従来技術においては、地雷を地面から持ち上げて前記容器内に収容させる必要があり、この作業が大変危険となる問題点があった。
【０００５】
第２に、前記容器は、爆発物の爆発力をそのまま受ける構造となっている。したがって、前記容器が爆発物の爆発によって破損しないようにするには、前記容器の強度をかなり大きくする必要があり、その製造コストは高価となる。また、前記容器の強度をかなり大きくした場合であっても、前記容器は爆発物の爆発によって大きなダメージを受けるために、多数回にわたって繰り返し使用するのに適しないものとなる。したがって、前記従来技術においては、たとえば爆発物の爆発処理を複数回にわたって繰り返し行なう場合に、使用済みの容器を新しい容器に頻繁に交換する必要があり、経済的負担が大きくなる問題点も生じていた。
【先行技術文献】
【特許文献】
【０００６】
【特許文献１】特開平７−１２８０００号公報
【発明の概要】
【発明が解決しようとする課題】
【０００７】
本発明は、前記したような事情のもとで考え出されたものであって、爆発物の爆発処理に際しての危険性が少なく、かつ前記爆発物の爆発に起因して装置の主要構成部材が大きなダメージを受けることも適切に抑制して経済性にも優れたものとすることが可能な爆発物処理装置を提供することを、その課題としている。
【課題を解決するための手段】
【０００８】
上記の課題を解決するため、本発明では、次の技術的手段を講じている。
【０００９】
本発明により提供される爆発物処理装置は、爆発物の周囲を覆うための下部開口の筒状部を有する外部遮蔽体と、前記筒状部内に昇降可能に設けられ、かつ少なくとも前記爆発物の上方を覆うことが可能な内部遮蔽体と、を具備しており、前記爆発物が前記外部遮蔽
体の前記筒状部と前記内部遮蔽体とによって覆われた状態において爆発したときには、前記筒状部が前記爆発の地点の周囲を覆った状態を維持しつつ、前記爆発の圧力によって前記内部遮蔽体が上昇可能な構成されていることを特徴としている。
【００１０】
このような構成によれば、次のような効果が得られる。
第１に、爆発物を爆発させた際に、爆発地点の上方については内部遮蔽体によって覆い、かつ爆発地点の周囲については外部遮蔽体の筒状部によって覆うことができるために、爆発物処理装置の周囲に爆風がそのまま吹き出したり、あるいは爆裂破砕片が飛散するといったことを適切に防止することができる。
第２に、爆発物を外部遮蔽体および内部遮蔽体によって覆うには、爆発物がたとえば地面上に存在する状態において、外部遮蔽体や内部遮蔽体を爆発物の上方側から覆い被せるようにして地面上に載置させればよい。すなわち、爆発物を移動させる必要はない。したがって、爆発物を移動させることに起因する危険性を無くすことができる。
第３に、爆発物が爆発した際に内部遮蔽体が爆発の圧力によって上昇する作用により、爆発の衝撃緩和作用を得ることが可能である。したがって、内部遮蔽体や外部遮蔽体が爆発物の爆発時に受けるダメージを小さくすることができる。その結果、内部遮蔽体や外部遮蔽体については、その強度を前記従来技術の容器よりも低くすることが可能となり、それらの製造コストを廉価にすることができる。また、内部遮蔽体や外部遮蔽体が爆発物の爆発によって受けるダメージが小さくなれば、これら内部遮蔽体や外部遮蔽体を多数回にわたって繰り返し使用することも可能となり、経済性に優れたものとなる。
【００１１】
好ましくは、前記内部遮蔽体には、前記爆発物が爆発したときに発生する爆風の一部を前記内部遮蔽体の上方に逃がすための通気孔が設けられている。
【００１２】
このような構成によれば、爆発物が爆発した際に、外部遮蔽体の筒状部や内部遮蔽体が受ける圧力をさらに低下させることができる。したがって、外部遮蔽体や内部遮蔽体が爆発によって受けるダメージを軽減して、それらを多数回にわたって繰り返し使用するのにより好ましいものとなる。
【００１３】
好ましくは、前記爆発物用の起爆手段として、前記爆発物の上方に配置させて保持可能な錘を備えており、前記錘を前記爆発物上に落下させることにより前記爆発物に衝撃を付与することが可能な構成とされている。
【００１４】
このような構成によれば、爆発物を爆発物処理装置内において爆発させることが、構成が簡易で比較的廉価に製作可能な手段によって適切に実現される。錘を金属製などの高強度のものとすれば、この錘についても、複数回にわたって繰り返し使用することが可能となる。
【００１５】
好ましくは、前記外部遮蔽体の前記筒状部の周囲には、有底かつ上面開口状の凹部が形成され、この凹部に重しとなる所望の物質を収容することが可能とされている。
【００１６】
このような構成によれば、前記凹部に、たとえば土砂や水などの所望の物質を収容することにより、この物質を「重し」として利用し、外部遮蔽体の設置状態を安定させることができる。したがって、爆発物の爆発時に外部遮蔽体が位置ずれするようなことを確実に防止するのに好ましい。また、外部遮蔽体の位置ずれなどを防止するための手段として、外部遮蔽体自体の重量を大きくする必要がなくなるため、外部遮蔽体を軽量に製作し、装置の運搬を容易にする上でも好ましい。
【００１７】
本発明のその他の特徴および利点は、添付図面を参照して以下に行なう発明の実施の形態の説明から、より明らかになるであろう。
【図面の簡単な説明】
【００１８】
【図１】本発明に係る爆発物処理装置の一例を示す断面図である。
【図２】図１に示す爆発物処理装置の作用を示す断面図である。
【発明を実施するための形態】
【００１９】
以下、本発明の好ましい実施の形態について、図面を参照して具体的に説明する。
【００２０】
図１に示す実施形態の爆発物処理装置Ａは、外部遮蔽体１、内部遮蔽体２、および爆発物９の起爆用の錘３を具備している。
【００２１】
外部遮蔽体１は、筒状部１０と、この筒状部１０の周囲に形成された凹部１１とを有している。筒状部１０は、爆発物９の周囲を囲むとともに、内部遮蔽体２の昇降ガイドを行なうための部分であり、上部および下部が開口した略円筒状である。この筒状部１０は、たとえば高強度の金属製（たとえば高張力鋼、ステンレス鋼など）であるが、金属以外の材質とすることも可能である。また、筒状部１０の内面に緩衝作用を発揮する物質の層が重ねて設けられた構成とすることもできる。この点は、外部遮蔽体１の他の部分や、内部遮蔽体２についても同様である。
【００２２】
外部遮蔽体１の凹部１１は、土砂あるいは水などの「重し」となる所望の物質を収容することにより、外部遮蔽体１の設置を安定させるための部分である。後述するように、この凹部１１にたとえば土砂を収容させた場合には、この土砂を爆裂破砕片の飛散を防ぐための防護層として機能させることもできる。凹部１１は、有底かつ上面開口状であり、円筒状の外周壁部１１ａを筒状部１０の外側に間隔を隔てて配置し、かつこの外周壁部１１ａの下部と筒状部１０の下部との間を中空円板状の底板部１１ｂを用いて塞ぐことにより形成されている。
【００２３】
内部遮蔽体２は、外部遮蔽体１の筒状部１０内に上下動可能に配されており、略円板状の上壁部２０、およびこの上壁部２０の外周縁から下方に延びた略円筒状の筒状部２１を有している。筒状部２１の外周面は、筒状部１０の内周面に対してスライド可能に接触し、または比較的小さい隙間を隔てて離間している。上壁部２０には、爆発物９が爆発した際に爆風の一部を内部遮蔽体２の上方に逃がすための複数の通気孔２２が設けられている。各通気孔２２は、爆裂破砕片の通過が抑制されるように比較的小さいサイズである。外部遮蔽体１の筒状部１０の上端および下端には、上部ストッパ１２ａおよび下部ストッパ１２ｂが設けられおり、内部遮蔽体２は、筒状部２１の下端が下部ストッパ１２ｂに係止した状態でその位置決めが図られる。上部ストッパ１２ａは、図２に示すような爆発物９の爆発時において、内部遮蔽体２が所定高さ以上に上昇することを阻止するための部分である。
【００２４】
起爆用の錘３は、たとえば鋼球を用いて構成されており、金属製のワイヤ４を利用して吊り下げ支持されている。錘３の吊り下げ用部材としては、ワイヤ４以外の線状部材を用いることができる。ワイヤ４は、上壁部２０の下方位置から上壁部２０を貫通して筒状部１０の上部に到り、さらにはこの筒状部１０の外部に引き出されている。筒状部１０の上部には、筒状部１０内においてワイヤ４および錘３を適切な配置にガイドするためのガイド部１４が設けられている。筒状部１０の外部には、ワイヤ４の途中箇所に固定して設けられた係合部材４０を係合させるための係合部１５が設けられている。図１に示すように、係合部材４０を係合部１５に係合させることにより、ワイヤ４を固定させることができ、このことにより錘３の落下を防止することが可能である。錘３は、上壁部２０よりも下側であって、筒状部２１，１０の下端（および爆発物９）よりも適当な高さだけ上方に配置されている。係合部材４０と係合部１５との係合状態は、たとえばワイヤ４の一端部４
ａ側を引っ張ることにより解除することが可能であり、このことにより図２に示すように、錘３を落下させることができる。
【００２５】
次に、前記した爆発物処理装置Ａの使用例ならびに作用について説明する。
【００２６】
まず、爆発物９が、たとえば地面Ｇ上に設置された地雷である場合、図１に示すような態様に爆発物処理装置Ａをセッティングする。このセッティングにおいては、筒状部２１，１０によって爆発物９の周囲を覆う。また、内部遮蔽体２の上壁部２０によって爆発物９の上方を覆う。起爆用の錘３については、爆発物９の上方に配置させる。このようなセッティングは、たとえば爆発物処理装置Ａを吊り上げて爆発物９の上方から地面Ｇ上に降ろすことにより簡単に行なうことが可能である。この作業に際し、クレーンを用いてもよいことは勿論である。前記したセッティングは、爆発物９を移動させることなく行なうことが可能である。したがって、爆発物９を移動させることに伴う危険性を適切に回避することができる。
【００２７】
図面では省略されているが、既述したように、凹部１１には、たとえば土砂または水を収容する。もちろん、土砂や水以外として、鉄くずや岩石などの他の物質を収容してもかまわない。凹部１１に収容された物質の重量を利用することにより、外部遮蔽体１の設置状態が安定する。したがって、爆発物９の爆発時に外部遮蔽体１が大きく位置ずれしたり、あるいは転倒するといった不具合を防止するのに好ましいものとなる。
【００２８】
次いで、爆発物９を爆発させるには、爆発物処理装置Ａから離れた位置においてワイヤ４の一端部４ａ側を手で引っ張り、係合部材４０と係合部１５との係合状態を解除し、その後ワイヤ４から手を離す。このことにより、図２に示すように、起爆用の錘３が爆発物９上に落下し、爆発物９が爆発する。この爆発時においては、爆風により内部遮蔽体２が上昇するが、この上昇時においては、内部遮蔽体２の重量が爆発の圧力に対する抵抗となり、圧力（衝撃）を緩和する作用が得られる。また、爆風の一部は、複数の通気孔２２を通過して内部遮蔽体２の上方に通過し、筒状部１０の上部開口から外部に放出される。したがって、このような作用によっても爆発の圧力緩和が図られる。その結果、外部遮蔽体１の筒状部１０および内部遮蔽体２に作用する圧力を低下させることが可能となり、それらの部分が大きなダメージを受けないようにすることができる。このため、外部遮蔽体１の筒状部１０や内部遮蔽体２の厚みをさほど大きくする必要がなくなり、それらの製造コストを廉価にし、また軽量化を図ることもできる。さらに、外部遮蔽体１や内部遮蔽体２を多数回にわたって繰り返し使用することも可能となる。
【００２９】
爆発物９の爆発時においては、外部遮蔽体１の筒状部１０の内側に内部遮蔽体２の筒状部２１が位置しており（図１を参照）、筒状部２１は、筒状部１０によってバックアップされた状態で爆風を受ける。したがって、筒状部２１に不当な変形などを生じ難くする効果も得られる。内部遮蔽体２が上昇した際には、筒状部１０の内周面の一部が爆発地点に直接晒されるが、その際には、内部遮蔽体２の上昇により爆発の圧力が既に緩和された状態にあるために、筒状部１０が受けるダメージを小さくすることが可能である。いずれにしても、筒状部１０は、爆発物処理装置Ａの周囲に爆風や爆裂破砕片が放出されることを適切に防止し、また内部遮蔽体２の上壁部２０も爆発物処理装置Ａの上方に多くの爆裂破砕片が吹き上げられるようなことを適切に防止する。既述したように、凹部１１に土砂が収容されている場合には、仮に、筒状部１０が破損したとしても、前記土砂が爆裂破砕片の飛散を防止する役割を果たすこととなり、爆裂破砕片が爆発物処理装置Ａの外部に飛散することはより徹底して防止される。
【００３０】
爆発物９の起爆手段としては、ワイヤ４を操作して錘３を爆発物９上に落下させる手法を用いているために、これら全体の構成は簡易であり、これらの製造コストも廉価にする
ことができる。また、遠隔操作で起爆させることが可能であるため、操作者保護も適切に図られる。起爆用の錘３は、たとえば鋼球を用いて構成されており、爆発物９の爆発によって破壊し難い。したがって、錘３についても、外部遮蔽体１や内部遮蔽体２と同様に、多数回にわたって繰り返し使用することが可能であり、経済性により優れたものとすることができる。
【００３１】
本発明は、上述した実施形態の内容に限定されない。本発明に係る爆発物処理装置の各部の具体的な構成は、種々に設計変更自在である。
【００３２】
本発明でいう外部遮蔽体は、少なくとも爆発物の周囲を覆うための下部開口状の筒状部を有する構成であればよく、たとえば前記実施形態の凹部１１に相当する部分を有しない構成とすることも可能である。外部遮蔽体の筒状部は、円筒状に代えて、たとえば角筒状に形成することもできる。内部遮蔽体は、必ずしも筒状部２１またはこれに相当する部分を有しなくてもよく、要は、外部遮蔽体の筒状部内に昇降可能に設けられて、少なくとも爆発物の上方を覆うことが可能な構成であればよい。外部遮蔽体や内部遮蔽体の具体的な形状、サイズ、材質などは問わず、これらは処理対象となる爆発物の爆発力などを考慮して適宜に設計変更することができる。
【００３３】
爆発物を爆発させるための手段（起爆手段）としては、錘を爆発物上に落下させる方式に代えて、これとは異なる方式の種々の手段を採用することが可能である。たとえば、錘以外の部材または部品を用いて爆発物に機械的な衝撃を与えたり、あるいはレーザビームやイオンビームなどの各種のビームを爆発物に照射するといった手段を採用することもできる。爆発物の種類に応じて、起爆手段の種類を適宜変更することが可能である。
【００３４】
本発明でいう爆発物の具体的な種類も限定されない。地雷や不発弾以外の爆発物を処理対象とすることができることは言う迄もない。
【符号の説明】
【００３５】
Ａ  爆発物処理装置
１  外部遮蔽体
２  内部遮蔽体
３  起爆用の錘
４  ワイヤ
９  爆発物
１０  筒状部（外部遮蔽体の）
１１  凹部
２２  通気孔（内部遮蔽体の）
【図１】
2011185582.tif 000003
【図２】
2011185582.tif 000004